(57)【要約】      （修正有）【課題】予備のマスクと一時的に外したマスクを別々に分けて収納できるマスクケースを提供する。【解決手段】マスクケース本体１の上辺開口部と下辺開口部に、互いに篏合する凹部と凸部からなるスライドファスナー９を設けて開閉自在とする。マスクケース本体１の前面部１ａと後面部１ｂの間に仕切り部２を介在させる。前面部１ａと仕切り部２は、下辺部１ｃを除き両側部１ｄと上辺部１ｅが溶着される。後面部１ｂと仕切り部２は、上辺部１ｅを除き両側部１ｄと下辺部１ｃが溶着される。前面部１ａと仕切り部２の間を第１収納部３、後面部１ｂと仕切り部２の間を第２収納部４とする。【選択図】図４
0003228619.tif 000002
【実用新案登録請求の範囲】
【請求項１】
マスクケース本体の上辺開口部と下辺開口部に、互いに篏合する凹部と凸部からなるスライドファスナーを設けて開閉自在とし、マスクケース本体の前面部と後面部の間に仕切り部を介在させ、前面部と仕切り部は、下辺部を除き両側部と上辺部が溶着され、後面部と仕切り部は、上辺部を除き両側部と下辺部が溶着され、前面部と仕切り部の間を第１収納部、後面部と仕切り部との間を第２収納部としたことを特徴とするマスクケース。
【考案の詳細な説明】
【技術分野】
【０００１】  本考案は、予備のマスクおよび一時的に外したマスクを別々に収納でき、衛生的で携帯に便利なマスクケースに関するものである。
【背景技術】
【０００２】  中国・武漢で検出された新型コロナウイルスは、イタリア、フランス、スペイン、イギリス、ドイツなどの欧州や日本、韓国、アメリカ、ブラジル、ロシアなど、またたくまに世界各国に感染拡大し、目に見えない新型コロナウイルスの脅威に世界中が大変な騒ぎになっている。【０００３】  この新型コロナウイルスの感染を防止する手段としては。密閉・密集・密接の３密をしないこと、頻繁に手洗いをすること、常にマスクを着用すること、などが重要で有効性があるとされている。このうちマスクは屋内や屋外問わず常時着用するのが求められていることから、外出時には複数のマスクを携行するようになってきた。【０００４】  常にマスクを着用していると、飲食時などにはその都度マスクを外さなければならず、外したマスクは二つ折りや三つ折りして机の上に置いておくか、ポケットやバッグ、カバンの中に入れるかしており、飲食が済めば再び使用途中のマスクを使用するのが一般的であった。【０００５】  ところが、二つ折りや三つ折りなどされたマスクは折目線や皺などが発生して外観が、不体裁になり、再着用した時に見栄えが悪くなると共に、雑菌など付着する可能性も高く不衛生であった。【０００６】  使用中のマスクを一時的に保管するためのマスクケースとしては、横長状のマスクケースの裏面側にマスクが収納可能でかつ、開口部に開閉自在の蓋部を備えたマスクケースが知られている（特許文献１参照）。【０００７】  また、別のマスクケースとしては、着用時に悪臭の不快感をなくするために、上下二つ折りのプラスチックケースの蓋の中央部に鏡を設け、その両側面に香料入れと、上部に乾燥剤、下部に消毒剤入れを設けたマスクを折らずに容器に入れるようにしたものが知られている（特許文献２参照）。【０００８】  さらに、別のマスクケースとしては、方形状のプラスチック製ケースの上面部に未使用マスクの収納スペースを、下面部に使用途中マスクの収納スペースを設け、未使用マスクの収納スペース上面にゴム止めフックを設けたものが知られている（特許文献３）。
【先行技術文献】
【特許文献】
【０００９】
【特許文献１】実用新案登録第３１５９９６１号公報
【特許文献２】実開平６−４８６９８号公報
【特許文献３】特開２０１５−２２６７３８号公報
【考案の概要】
【考案が解決しようとする課題】
【００１０】  しかしながら、前記特許文献１のマスクケースは、複数の予備のマスクを携行できたとしても、一時的に外したマスクを収納できるポケット部はなく、マスクを折り畳んでポケットやカバンに納めなければならず、不衛生であることに変わりはなかった。【００１１】  前記特許文献２のマスクケースは、予備のマスクを折らずに容器に入れることができても、特許文献１と同様で、一時的に外したマスクと予備のマスクを別々に分けて収納することができず不衛生であることは同じであった。【００１２】  前記文献３のマスクケースは、前記特許文献１、２の欠点を解消するものであり、複数の予備マスクを収納できると共に、使用途中のマスクを一時的に収納できる点においては共通していても、予備マスク収納スペースのマスクと、使用途中のマスク収納スペースのマスクが接し雑菌が付着することになり不衛生であった。また、マスクケース自体も分厚くなり、ポケットやバッグ、カバンに収容すると嵩張った。さらに、使用途中マスク収納スペースにあるゴム止めフックが邪魔になったりすることがあった。【００１３】  本考案は、上記のような問題点を解決することを課題として開発されたもので、予備のマスクと一時的に外したマスクとを別々に分けて収納保管でき衛生面に優れ、厚さも薄くてポケットやバッグ、カバンに収納しても嵩にならず持ち運びが容易なマスクケースを提供することを目的とする。
【課題を解決するための手段】
【００１４】  上記の課題を解決しその目的を達成するため、本考案はマスクケース本体の上辺開口部と下辺開口部に、互いに篏合する凹部と凸部からなるスライドファスナーを設けて開閉自在とし、マスクケースの前面部と後面部との間に仕切り部を介在させ、前面部と仕切り部は、下辺部を除き両側部と上辺部が溶着され、後面部と仕切り部は、上辺部を除き両側部と下辺部が溶着され、前面部と仕切り部の間を第１収納部、後面部と仕切り部との間を第２収納部としたことを特徴とする。【００１５】  これにより、飲食時などにおいて、一時的に取り外したマスクは、左上端部のスライダーを右側に摺動させて上辺開口部を開口させていき、その上方から後面部と仕切り部で形成される空間の第２収納部に入れて行けば収納できる。この第２収納部は横長で大きくマスクを斜め上方からスムーズに収容できる。【００１６】  この時、予備マスクは第２収納部とは別の仕切り部と後面部との間の第１収納部に収納保管されているから、一時的に外したマスクと予備マスク同士の接触がなく雑菌などの付着防止がなく清潔さを保持できる。【００１７】  また、使用中のマスクが汚れて第１収納部の予備マスクに取り換える時には、右下端部のスライダーを左側に摺動していけば下辺開口部が開口し、その下方から前面部と仕切り部で形成される空間の第１収納部から引き出せば取り出すことができる。この時も下辺開口部は横長で大きいから、マスクを斜めにして引き出せばスムーズに取り出すことができる。
【考案の効果】
【００１８】  本考案のマスクケースは、予備のマスクおよび一時的に外したマスクを区分けして別々の収納部に衛生的に収納できる。また、マスクケースは極めて薄く嵩張らず携帯に便利である。
【図面の簡単な説明】
【００１９】
【図１】本考案のマスクケースの正面図である。
【図２】一時的に外したマスクを第２収納部に入れる説明図である。
【図３】予備マスクを第１収納部から取出す説明図である。
【図４】上下辺開口部が閉止時の前面部簡略説明図である。
【図５】上下辺開口部が閉止時の後面部簡略説明図である。
【図６】上下辺開口部が開口時の前面部簡略説明図である。
【図７】上下辺開口部が開口時の後面部簡略説明図である。
【図８】スライドファスナーの簡略説明図である。
【考案を実施するための最良の形態】
【００２０】  以下に、本考案の実施の形態を添付図面に基づいて説明すれば、図１〜図３に示すように、本考案に係るマスクケース本体１は横長四角形に形成されており、ビニールなどの薄手で可撓性を有する素材が適当であり、前面部１ａと後面部１ｂの間に介在される仕切り部２とで収納部が構成されている。【００２１】  すなわち、前面部１ａと仕切り部２は下辺部１ｃを除き、両側部１ｄ，１ｄと上辺部１ｅが溶着され、後面部１ｂと仕切り部２は上辺部１ｅを除き、両側部１ｄ，１ｄと下辺部１ｃが溶着され、前面部１ａと仕切り部２の間を第１収納部３、後面部１ｂと仕切り部２との間を第２収納部４が形成されている。【００２２】  ５，６はマスクケース本体１の上辺開口部と下辺開口部であり、その上下辺開口部５，６に互いに篏合する凹部７と凸部８からなるスライドファスナー９を取り付けてあり、該スライドファスナー９に沿って摺動することでスライドファスナー９を開閉するスライダー１０を取り付けてある。このスライドファスナー９に変わって、例えば面ファスナー、ボタンなどを使用してもよい。【００２３】  前記仕切り部２は、前後面部１ａ，１ｂと同じビニールなどの薄手で可撓性を有する素材であり、前面部１ａと仕切り部２は下辺開口部６を除いて溶着されていると共に、後面部１ｂと仕切り部２は上辺開口部５を除いて溶着され、それぞれ第１収納部３の下方からマスクを取り出せると共に第２収納部４の上方からマスクを収納させることができる。【００２４】  また、スライダー１０が下辺開口部６の右下端部の位置になると開口部６が閉口の状態であり、スライダー９に沿って左側にスライドしていき左下端部の位置になると開口の状態になり下方からマスクＭを引き出すことができる。【００２５】  このように構成した本考案のマスクケースの使用例を説明すれば、マスクの着用時において、飲食などで一時的にマスクを外して収納保管する時には、図１の左上端位置のスライダー１０を右側にスライドさせれば、図２に示すように、上辺開口部５が開口していき、後面部１ｂと仕切り部２で形成される第２収納部４に収納できる。この時、第１種収納部３に予備マスクが収納保管されて別々になっているので衛生的である。【００２６】  また、予備のマスクＭを使用する時は、図１の右下端位置のスライダー１０を左側にスライドさせれば下辺開口部６が開口していき、前面部１ａと仕切り部２で形成される第１収納部３の斜め下方から引き出していけば予備の新しいマスクＭを取り出すことができる。【００２７】  このようにマスクを一時的に外して収納するのと、携行する時の予備マスクとして保管でき、仕切り部によって別々に分けて収納でき、接触しないので雑菌など付着するおそれがなくなる。【００２８】  さらに、マスクケースとしては、極めて薄くて嵩張らないため、外出時にポケットに入れて携帯でき、もちろんバッグやカバンの中に入れても持ち歩くことができ便利である。また、第１収納部、第２収納部に収納されたマスクは折目線や皺などがつかないため、外観が美しく美観的に優れたものである。【００２９】  以上、本実施例の形態について説明したが、本考案はこれらの実施例に限定されるものではなく、本考案の目的を達成でき、か���考案の要旨を逸脱しない範囲内で種々の設計変更が可能であり、それらも全て本考案の範囲内に包含されるものである。
【産業上の利用分野】
【００３０】  本考案は、一時的に外したマスクの収納と、予備のマスクの取り出しおよび収納保管が同時に行えるマスクケースとして有効的に利用できるものである。
【符号の説明】
【００３１】１    マスクケース本体
１ａ  前面部
１ｂ  後面部
１ｃ  下辺部
１ｄ  両側部
１ｅ  上辺部
２    仕切り部
３    第１収納部
４    第２収納部
５    上辺開口部
６    下辺開口部
７    凹部
８    凸部
９    スライドファスナー
１０  スライダー
【図１】
0003228619.tif 000003
【図２】
0003228619.tif 000004
【図３】
0003228619.tif 000005
【図４】
0003228619.tif 000006
【図５】
0003228619.tif 000007
【図６】
0003228619.tif 000008
【図７】
0003228619.tif 000009
【図８】
0003228619.tif 000010